(57)【特許請求の範囲】
【請求項１】
目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ目地カバー保持具と、前記目地カバーのほぼ中央部寄りの上面に上方へ突出するように固定されたチャンネル状の受け具と、前記一方の建物の天井材と躯体との間に前記目地カバーが入り込むように固定された先端部が地震等によって目地部が狭くなる場合に前記受け具内に入り込み、前記目地カバーを上方へ押し上げ移動させる押し上げ杆とからなることを特徴とする天井用目地カバー装置。
【請求項２】
目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ目地カバー保持具と、前記目地カバーのほぼ中央部寄りの上面に上方へ突出するように固定されたチャンネル状の受け具と、前記一方の建物の天井材と躯体との間に前記目地カバーが入り込むように固定された先端部が前記目地カバー押し上げ部よりも外方へ突出しない部位となる押し上げ杆ホルダー、この押し上げ杆ホルダー内にスライド移動可能で、常時は先端部が外方へ突出して地震等によって目地部が狭くなる場合に前記受け具内に入り込み、前記目地カバーを上方へ押し上げ移動させる押し上げ杆本体、この押し上げ杆本体の先端部を常時外方へ突出するように付勢し、前記目地部が狭くなると前記他方の建物の躯体に当接して前記押し上げ杆ホルダー内に入り込ませるように該押し上げ杆本体内に収納された付勢スプリングとからなる押し上げ機構とからなることを特徴とする天井用目地カバー装置。
【請求項３】
目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ前記他方の建物の躯体の該目地カバーよりも上部位置に固定された一対の支持アーム、この一対の支持アームの先端部より下方へガイドされる両端部が前記目地カバーに取付けられた付勢スプリングが介装された保持杆とからなる目地カバー保持具と、前記一方の建物の天井材と躯体との間に前記目地カバーが入り込むように固定された先端部が前記目地カバー押し上げ部よりも外方へ突出しない部位となる押し上げ杆ホルダー、この押し上げ杆ホルダー内にスライド移動可能で、常時は先端部が外方へ突出して地震等によって目地部が狭くなる場合に前記目地カバー保持具の保持杆と係合し、前記目地カバーを上方へ押し上げ移動させる押し上げ杆本体、この押し上げ杆本体の先端部を常時外方へ突出するように付勢し、前記目地部が狭くなると前記保持杆に加わる力によって前記押し上げ杆ホルダー内に入り込ませるように該押し上げ杆ホルダー内に収納された付勢スプリングとからなる付勢機構とからなることを特徴とする天井用目地カバー装置。
【発明の詳細な説明】
【０００１】
【発明の属する技術分野】
本発明は目地部を介して建てられた左右の免震建物等の天井部位の目地部を覆う天井用目地カバー装置に関する。
【０００２】
【従来の技術】
従来の天井用目地カバー装置は、天井の目地部を覆う目地カバーを前後左右方向にスライド移動や伸縮させる構造を用いている。
【０００３】
【発明が解決しようとする課題】
従来の天井用目地カバー装置を免震建物等の大きな揺れ動きが生じる建物に使用しようとしても、スライド移動量を大きく設定することができないとともに、前後左右方向の移動や伸縮させる構造が複雑であるという欠点があった。
【０００４】
本発明は以上のような従来の欠点に鑑み、免震建物等の大きな揺れ動きが生じる建物に使用しても、左右の建物の異なる前後左右方向の大きな揺れ動きも損傷なくスムーズに吸収することができるとともに、構造が簡単で、容易に設置することができる天井用目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ目地カバー保持具と、前記目地カバーのほぼ中央部寄りの上面に上方へ突出するように固定されたチャンネル状の受け具と、前記一方の建物の天井材と躯体との間に前記目地カバーが入り込むように固定された先端部が地震等によって目地部が狭くなる場合に前記受け具内に入り込み、前記目地カバーを上方へ押し上げ移動させる押し上げ杆とで天井用目地カバー装置を構成している。
【０００７】
【発明の実施の形態】
以下、図面に示す実施の形態により、本発明を詳細に説明する。
【０００８】
図１ないし図６に示す本発明の第１の実施の形態において、１は目地部２を介して建てられた左右の建物３、３の天井部位の目地部を覆う本発明の天井用目地カバー装置で、この天井用目地カバー装置１は前記左右の建物３、３の一方の建物３の天井部位の躯体３ａに取付けられた天井材４の目地部側端部に設けられた下方が外方へ突出する目地カバー押し上げ部としての傾斜面５ａが形成された目地カバー押し上げ部材５と、この目地カバー押し上げ部材５と対向する部位の前記左右の建物３、３の他方の建物３の外壁面の躯体３ｂに、複数本のビス６によって固定された支持レール７に常時は前記目地部２を覆うように支持され、地震等によって目地部２が狭くなる場合には上方へ移動可能な先端部が前記目地カバー押し上げ部材５の傾斜面５ａと面接触できる傾斜面８ａに形成された目地カバー８と、地震等によって目地部２が広くなる場合に前記目地カバー８の目地部２を覆っていた状態を保つ該目地カバー８の後端部寄りの部位に上方へ突出するように固定された複数本の支持杆９、この複数本の支持杆９の上下移動が可能でかつ前方へ倒れるのを阻止できるように前記他方の建物３の外壁面の躯体３ｂに複数本のビス１０によって固定された保持カバー１１とからなる目地カバー保持具１２と、前記目地カバー８のほぼ中央部寄りの上面に上方へ突出するように所定間隔で固定された開口幅が前後方向に長いチャンネル状の受け具１３、１３と、前記一方の建物３の天井材４と躯体３ａとの間に前記目地カバー８が入り込むように固定された先端部が地震等によって目地部２が狭くなる場合に前記受け具１３、１３内に入り込み、前記目地カバー８を上方へ押し上げ移動させる先端部が傾斜面１４ａの押し上げ杆１４、１４とで構成されている。
【０００９】
上記構成の天井用目地カバー装置１は、地震等によって左右の建物３、３の目地部２が広くなるように揺れ動いた場合には、図４に示すように目地カバー８は目地カバー保持具１２によって通常時に目地部２を覆っていた状態を保つため、一方の建物３の目地部２側の天井材４が離れていく方向に移動して、その揺れ動きを吸収する。
【００１０】
また、左右の建物３、３の目地部２が狭くなるように揺れ動いた場合には、図５に示すように目地カバー８の先端部８ａが目地カバー押し上げ部材５の傾斜面５ａ上をスライド移動して上方へ押し上げられるとともに、受け具１３、１３内に押し上げ杆１４、１４の先端部が入り込み、目地カバー８を上方へ押し上げ、その揺れ動きを吸収する。
【００１１】
さらに、左右の建物の３、３が異なる前後方向でかつ目地部２が狭くなるように揺れ動いた場合には、図６に示すように目地カバー８の先端部が目地カバー押し上げ部材５の傾斜面５ａ上を前後方向に移動しながら上方へスライド移動して上方へ押し上げられるとともに、受け具１３、１３内に押し上げ杆１４、１４の先端部が入り込み目地カバー８を上方へ押し上げ、その揺れ動きを吸収する。
【００１２】
【発明の異なる実施の形態】
次に、図７ないし図２０に示す本発明の異なる実施の形態につき説明する。なお、これらの本発明の異なる実施の形態の説明に当って、前記本発明の第１の実施の形態と同一構成部分には同一符号を付して重複する説明を省略する。
【００１３】
図７ないし図１２に示す本発明の第２の実施の形態において、前記本発明の第１の実施の形態と主に異なる点は、目地カバー８の後端部寄りの部位に上方へ突出するように固定された複数本の軸状の支持杆９Ａ、この複数本の支持杆９Ａの上部をそれぞれ上下移動可能に支持する他方の建物３の外壁面の躯体３ｂに固定された軸受け部材１５、１５とからなる目地カバー保持具１２Ａと、一方の建物３の天井材４と躯体３ａとの間に目地カバー８が入り込むように固定された先端部が目地カバー押し上げ部材５よりも外方へ突出しない部位となる押し上げ杆ホルダー１６、この押し上げ杆ホルダー１６内にスライド移動可能で、常時は先端部が外方へ突出して地震等によって目地部２が狭くなる場合に受け具１３内に入り込み、目地カバー８を上方へ押し上げ移動させる先端部が傾斜面１７ａの押し上げ杆本体１７、この押し上げ杆本体１７の先端部を常時外方へ突出するように付勢し、目地部２が狭くなると他方の建物３の外壁面の躯体３ｂに当接して前記押し上げ杆ホルダー１６内に入り込ませるように該押し上げ杆ホルダー１６内に収納された付勢スプリング１８とからなる押し上げ機構１９を用いた点で、このように構成した天井用目地カバー装置１Ａにすることにより、目地部２の寸法とほぼ同じ寸法だけ左右の建物３、３の異なる左右方向の揺れ動きを吸収することができる。
【００１４】
図１３ないし図１８に示す本発明の第３の実施の形態において、前記本発明の第２の実施の形態と主に異なる点は、他方の建物３の外壁面の躯体３ｂの目地カバー８よりも上部位置に固定された一対の支持アーム２０、２０、この一対の支持アーム２０、２０の先端部より下方へガイドローラ２１、２１によってガイドされる両端部が目地カバー８に取付けられた付勢スプリング２２、２２が介装された保持杆２３とからなる目地カバー保持具１２Ｂと、先端部に前記目地カバー保持具１２Ｂの保持杆２３と係合する係合部２４が形成された押し上げ杆本体１７Ａを用いた押し上げ機構１９Ａとを用いた点で、このように構成した天井用目地カバー装置１Ｂにしても、前記本発明の第２の実施の形態と同様な作用効果が得られる。
【００１５】
図１９および図２０に示す本発明の第４の実施の形態において、前記本発明の第３の実施の形態と主に異なる点は、一方の建物３の天井材４の目地部側の端部を傾斜面５Ａに形成した目地カバー押し上げ部にした点で、このように構成した天井用目地カバー装置１Ｃにしても、前記本発明の第３の実施の形態と同様な作用効果が得られる。
【００１６】
【発明の効果】
以上の説明から明らかなように、本発明にあっては次に列挙する効果が得られる。
【００１７】
（１）目地部を介して建てられた左右の建物の一方の建物の天井部位の躯体に取付けられた、天井材の目地部側端部に設けられた目地カバー押し上げ部と、この目地カバー押し上げ部と対向する部位の前記左右の建物の他方の建物の躯体に常時は前記目地部を覆うように支持され、地震等によって目地部が狭くなる場合には上方へ移動可能な目地カバーと、地震等によって目地部が広くなる場合に前記目地カバーの目地部を覆っていた状態を保つ目地カバー保持具と、前記目地カバーのほぼ中央部寄りの上面に上方へ突出するように固定されたチャンネル状の受け具と、前記一方の建物の天井材と躯体との間に前記目地カバーが入り込むように固定された先端部が地震等によって目地部が狭くなる場合に前記受け具内に入り込み、前記目地カバーを上方へ押し上げ移動させる押し上げ杆とで構成されているので、目地部が広くなるような揺れ動きの場合には目地カバーがそのままで、一方の建物の天井材が離れるように移動して、その揺れ動きを吸収するとともに、目地部が狭くなるような揺れ動きの場合には押し上げ杆が受け具内に入り込み目地カバーを押し上げ、その揺れ動きを吸収することができる。
したがって、地震等によって左右の建物が異なる左右方向に揺れ動いても損傷することなく、その揺れ動きを吸収することができる。
【００１８】
（２）前記（１）によって、左右の建物が異なる前後方向に揺れ動き、かつ目地部が狭くなった場合には受け具がチャンネル状に形成されたものであるので、押し上げ杆が受け具内に入り込むことができ、目地カバーを上方へ押し上げ、その揺れ動きを吸収することができる。
したがって、地震等によって左右の建物が異なる前後方向で、かつ目地部が狭くなるように揺れ動いても損傷することなく、その揺れ動きを吸収することができる。
【００１９】
（３）前記（１）によって、目地カバー支持具、受け具、押し上げ杆を用いた構造で、左右の建物の異なる前後左右方向の揺れ動きを吸収でき、構造が簡単で、楽に設置することができる。
【００２０】
（４）請求項２、３も前記（１）〜（３）と同様な効果が得られるとともに、ほぼ目地部の寸法分だけの大きな揺れ動きも吸収することができる。
したがって、免震建物等の大きな揺れ動きを吸収しなければならない建物に最適に使用することができる。
【図面の簡単な説明】
【図１】本発明の第１の実施の形態の設置状態の平面図。
【図２】図１の２−２線に沿う拡大断面図。
【図３】図１の３−３線に沿う断面図。
【図４】目地部が広くなった動作状態の説明図。
【図５】目地部が狭くなった動作状態の説明図。
【図６】異なる前後方向で目地部が狭くなった動作状態の説明図。
【図７】本発明の第２の実施の形態の設置状態の平面図。
【図８】図７の８−８線に沿う拡大断面図。
【図９】図７の９−９線に沿う断面図。
【図１０】本発明の第２の実施の形態の押し上げ機構の説明図。
【図１１】目地部が狭くなった動作状態の説明図。
【図１２】目地部が非常に狭くなった動作状態の説明図。
【図１３】本発明の第３の実施の形態の設置状態の平面図。
【図１４】図１３の１４−１４線に沿う拡大断面図。
【図１５】図１３の１５−１５線に沿う断面図。
【図１６】本発明の第３の実施の形態の目地カバー保持具の説明図。
【図１７】本発明の第３の実施の形態の押し上げ機構の説明図。
【図１８】目地部が狭くなった状態の動作説明図。
【図１９】本発明の第４の実施の形態の設置状態の平面図。
【図２０】図１９の２０−２０線に沿う拡大断面図。
【符号の説明】
１、１Ａ、１Ｂ、１Ｃ：天井用目地カバー装置、
２：目地部、            ３：建物、
４：天井材、            ５：目地カバー押し上げ部材、
５ａ：目地カバー押し上げ部としての傾斜面、
６：ビス、              ７：支持レール、
８：目地カバー、        ９、９Ａ：支持杆、
１０：ビス、            １１：支持カバー、
１２、１２Ａ、１２Ｂ：目地カバー保持具、
１３：受け具、          １４：押し上げ杆、
１５：軸受け部材、      １６：押し上げ杆ホルダー、
１７、１７Ａ：押し上げ杆本体、
１８：付勢スプリング、  １９、１９Ａ：押し上げ機構、
２０：支持アーム、      ２１：ガイドローラ、
２２：付勢スプリング、  ２３：保持杆、
２４：係合部。
【図１】
0003688510.tif 000002
【図２】
0003688510.tif 000003
【図３】
0003688510.tif 000004
【図４】
0003688510.tif 000005
【図５】
0003688510.tif 000006
【図６】
0003688510.tif 000007
【図７】
0003688510.tif 000008
【図８】
0003688510.tif 000009
【図９】
0003688510.tif 000010
【図１０】
0003688510.tif 000011
【図１１】
0003688510.tif 000012
【図１２】
0003688510.tif 000013
【図１３】
0003688510.tif 000014
【図１４】
0003688510.tif 000015
【図１５】
0003688510.tif 000016
【図１６】
0003688510.tif 000017
【図１７】
0003688510.tif 000018
【図１８】
0003688510.tif 000019
【図１９】
0003688510.tif 000020
【図２０】
0003688510.tif 000021